(57)【要約】【課題】コピーが禁止されているＤＶＤビデオのコンテンツはコピー不可能であるが、コピーが禁止されていないＤＶＤビデオあるいは自己記録したビデオのコンテンツは少なくとも１回コピー可能な情報記録媒体を提供する。【解決手段】  誤り訂正ブロックを記録再生の単位として情報を記録再生する情報記録媒体において、前記情報を記録する誤り訂正のブロックを記録再生の単位として構成される第１の深さを有する記録領域と、前記情報を記録する前記記録領域に挟まれて、誤り訂正のブロックを記録再生の単位として再生可能なプリピットを形成した第２の深さを有するプリピット領域が、前記誤り訂正のブロックの単位とは異なる境界を前記記録領域との間に有して構成される。【選択図】図１
2010003410.tif 000002
【特許請求の範囲】
【請求項１】
誤り訂正ブロックを記録再生の単位として情報を記録再生する情報記録媒体において、前記情報を誤り訂正ブロック単位で記録するように構成され、アドレス情報を有し、かつランド領域に挟まれてランド面からみて記録または再生を行うためのレーザー照射側に突出した第１の高さを有する第１の高さの記録再生可能なグルーブ領域と、前記誤り訂正ブロック単位の誤り訂正能力が情報量としてｎバイトとすると、ｎバイトより大きい情報量を有し、ランド領域に挟まれてランド面からみて記録または再生を行うためのレーザー照射側に突出した第１の高さよりも高い第２の高さの再生可能なプリピットを形成したプリピット領域とを備え、前記プリピット領域は、前記グルーブ領域に挟まれて構成されていることを特徴とする情報記録媒体。
【請求項２】
誤り訂正ブロックを記録再生の単位として情報を記録再生する情報記録媒体において、前記情報を誤り訂正ブロック単位で記録するように構成され、アドレス情報を有し、かつランド領域に挟まれてランド面からみて記録または再生を行うためのレーザー照射側に突出した第１の高さを有する第１の高さの記録再生可能なグルーブ領域と、前記誤り訂正ブロック単位の誤り訂正能力が情報量としてｎバイトとすると、ｎバイトより大きい情報量を有し、ランド領域に挟まれてランド面からみて記録または再生を行うためのレーザー照射側に突出した第１の高さよりも高い第２の高さの再生可能なプリピットを形成したプリピット領域とを備え、前記プリピット領域は、前記グルーブ領域に挟まれて構成されている情報記録媒体に対して、
再生用ヘッドをヘッド移動手段により前記情報記録媒体上に位置決めし、前記ヘッドを用いて、記録された情報を前記誤り訂正ブロック単位で再生する情報記録媒体再生装置。
【請求項３】
誤り訂正ブロックを記録再生の単位として情報を記録再生する情報記録媒体において、前記情報を誤り訂正ブロック単位で記録するように構成され、アドレス情報を有し、かつランド領域に挟まれてランド面からみて記録または再生を行うためのレーザー照射側に突出した第１の高さを有する第１の高さの記録再生可能なグルーブ領域と、前記誤り訂正ブロック単位の誤り訂正能力が情報量としてｎバイトとすると、ｎバイトより大きい情報量を有し、ランド領域に挟まれてランド面からみて記録または再生を行うためのレーザー照射側に突出した第１の高さよりも高い第２の高さの再生可能なプリピットを形成したプリピット領域とを備え、前記プリピット領域は、前記グルーブ領域に挟まれて構成されている情報記録媒体に対して、
再生用ヘッドを前記情報記録媒体上に位置決めし、前記ヘッドを用いて、記録された情報を前記誤り訂正ブロック単位で再生する情報記録媒体再生方法。
【請求項４】
誤り訂正ブロックを記録再生の単位として情報を記録再生する情報記録媒体において、前記情報を誤り訂正ブロック単位で記録するように構成され、アドレス情報を有し、かつランド領域に挟まれてランド面からみて記録または再生を行うためのレーザー照射側に突出した第１の高さを有する第１の高さの記録再生可能なグルーブ領域と、前記誤り訂正ブロック単位の誤り訂正能力が情報量としてｎバイトとすると、ｎバイトより大きい情報量を有し、ランド領域に挟まれてランド面からみて記録または再生を行うためのレーザー照射側に突出した第１の高さよりも高い第２の高さの再生可能なプリピットを形成したプリピット領域とを備え、前記プリピット領域は、前記グルーブ領域に挟まれて構成されている情報記録媒体に対して、
記録再生用ヘッドをヘッド移動手段により前記情報記録媒体上に位置決めし、前記ヘッドを用いて、記録すべき情報を生成すると共に、生成された情報を前記誤り訂正ブロック単位で記録する情報記録媒体記録装置。
【請求項５】
誤り訂正ブロックを記録再生の単位として情報を記録再生する情報記録媒体において、前記情報を誤り訂正ブロック単位で記録するように構成され、アドレス情報を有し、かつランド領域に挟まれてランド面からみて記録または再生を行うためのレーザー照射側に突出した第１の高さを有する第１の高さの記録再生可能なグルーブ領域と、前記誤り訂正ブロック単位の誤り訂正能力が情報量としてｎバイトとすると、ｎバイトより大きい情報量を有し、ランド領域に挟まれてランド面からみて記録または再生を行うためのレーザー照射側に突出した第１の高さよりも高い第２の高さの再生可能なプリピットを形成したプリピット領域とを備え、前記プリピット領域は、前記グルーブ領域に挟まれて構成されている情報記録媒体に対して、
記録再生用ヘッドを前記情報記録媒体上に位置決めし、前記ヘッドを用いて、記録すべき情報を生成すると共に、生成された情報を前記誤り訂正ブロック単位で記録する情報記録媒体記録方法。
【請求項６】
誤り訂正ブロックを記録再生の単位として情報を記録再生する情報記録媒体において、
前記情報を誤り訂正ブロック単位で記録するように構成され、かつアドレス情報を有する第１の深さの記録再生可能な記録領域と、前記誤り訂正ブロック単位の誤り訂正能力が情報量としてｎバイトとすると、ｎバイトより大きい情報量を有する第２の深さの再生可能なプリピットを形成したプリピット領域とを備え、前記プリピット領域は、前記記録領域に挟まれて構成されていることを特徴とする情報記録媒体。
【発明の詳細な説明】
【技術分野】
【０００１】
本発明は、コピーが禁止されている情報はコピー不可能であるが、コピーが禁止されていない情報は少なくとも１回コピーが可能な高密度記録型ディスクである情報記録媒体、情報記録媒体記録再生装置、情報記録媒体再生方法、情報記録媒体記録装置、情報記録媒体記録方法に関する。
【背景技術】
【０００２】
一般に、ＤＶＤビデオと互換性をもって複数回記録可能なＤＶＤ−ＲＷ（Reritable）等の高密度記録型ディスクにおいては、著作権にて保護されているコンテンツとそうでないコンテンツが識別されて、みだりにコンテンツの違法コピーが行われないようにしなければならない。ＤＶＤビデオは、再生専用のディスクであり、コンテンツのコピー禁止の著作権情報がＣＳＳ（コンテンツスクランブルシステム）にて、ディスクの所定の領域（ＣＳＳ領域）に記録されている（ＣＳＳキーの記録）。そして、このＣＳＳキーをＤＶＤビデオ再生装置が読み出し、このＣＳＳキーを用いてそのコンテンツを再生するという、違法コピー防止のためのシステムを採用している。
【０００３】
一方、高密度型ディスク記録装置でＤＶＤビデオのコンテンツをＣＳＳキーと共に記録した高密度型ディスクを、ＤＶＤビデオ再生装置で再生した場合には、ＣＳＳキーが読み出せてしまうので、コピー禁止のＤＶＤビデオのコンテンツは再生できてしまう。この結果、コピー禁止のＤＶＤビデオの著作権は保護できないという事態が発生する。
【０００４】
ところで、前記した複数回記録可能な高密度型ディスクではないが、ＤＶＤ−Ｒ(Rewritable）のように１回のみ記録可能なディスクにおいては、普通の状態ではＤＶＤビデオのＣＳＳキーが記録されてしまうディスクの所定の領域（ＣＳＳ領域）に、出荷時にＣＳＳキー以外の特別なコードを記録して、後からＣＳＳキーがオーバーライトできないように加工しておく。これによって、高密度型ディスク記録装置でＤＶＤビデオのコンテンツをＣＳＳキーと共に記録していないＤＶＤ−Ｒを、ＤＶＤビデオ再生装置で再生した場合には、ＣＳＳキーが読み出せないのでＤＶＤビデオのコンテンツは再生できない。この結果、コピー禁止のＤＶＤビデオの著作権保護を図ることができる。
【特許文献１】特開平７−１８２７６６号公報
【特許文献２】特開平１１−１７６０８９号公報
【発明の開示】
【発明が解決しようとする課題】
【０００５】
前記したように、ＤＶＤ−Ｒは１回のみしか記録出来ないので、ＣＳＳキーを読み出せないようにしておけば、コピー禁止のＤＶＤビデオのコンテンツの著作権保護を図ることが可能である。一方、前記した複数回記録可能な高密度型ディスクにおいては、ＤＶＤ−ＲＷのように、そのＣＳＳ領域に特殊なデータ（ＣＳＳキー以外の特別なコード）を記録しておいても、その上から正規のＣＳＳキー（コピー許可のＣＳＳキー）をオーバーライトすれば、コピー禁止のＤＶＤビデオのコンテンツは容易に再生でき、違法にコピーできてしまう。この結果、複数回記録可能な高密度型ディスクにおいては、コピー禁止のＤＶＤビデオのコンテンツの著作権保護は出来ないという事態が発生する。また、複数回記録可能な高密度型ディスクにおいては、コピーが禁止されていないＤＶＤビデオあるいは自己記録したビデオのコンテンツは再生でき、コピーできなくてはならないことが要求されていた。
【０００６】
そこで、本発明は、前記した問題を解決するためになされたものであり、誤り訂正ブロックを記録再生の単位として情報を記録再生する情報記録媒体において、
前記情報を記録する誤り訂正のブロックを記録再生の単位として構成される第１の深さを有する記録領域と、前記情報を記録する前記記録領域に挟まれて、誤り訂正のブロックを記録再生の単位として再生可能なプリピットを形成した第２の深さを有するプリピット領域が、前記誤り訂正のブロックの単位とは異なる境界を前記記録領域との間に有して構成されたプリピット領域を備えたことを特徴とする情報記録媒体及び情報記録媒体再生方法を提供することを目的とする。これによって、本発明は、コピーが禁止されているＤＶＤビデオのコンテンツを違法にコピーをしても、このコンテンツに関する著作権情報は記録できないから、このコンテンツは再生できず、そのコピーは不可能となる結果、このコンテンツの著作権保護を確実に図ることができる。また、コピーが禁止されていない例えばコピーが禁止されていないＤＶＤビデオあるいは自己記録したビデオのコンテンツは、このコンテンツに関する著作権情報と一緒に記録できるから、このコンテンツは再生でき、そのコピーは少なくとも１回可能となるのである。
【課題を解決するための手段】
【０００７】
上述した課題を解決するために、本発明は、次の（１）〜（１２）の構成を有する情報記録媒体、情報記録媒体記録方法、情報記録媒体再生方法、情報記録媒体記録再生装置、情報記録媒体原盤製造方法を提供する。
（１）  図１，図７（Ｃ）に示すように、第１の情報（コピーが禁止されているＤＶＤビデオのコンテンツ）はコピー不可能であるが、第２の情報（コピーが禁止されていないＤＶＤビデオあるいは自己記録したビデオのコンテンツなど）は少なくとも１回コピー可能である情報記録媒体（光ディスク）Ｄであって、
前記第１及び第２の情報をそれぞれ記録する領域であって、かつ第１の深さｄ１を有する記録領域Ｒと、
前記第１の情報に対してはコピー禁止を示しかつ前記第２の情報に対しては少なくとも１回コピー可能を示す著作権情報（例えば、コピー無制限に可、コピー１回可、コピー２回可などのＣＳＳキー）を記録する領域であって、かつ（ＣＳＳ領域ｐｒに）前記第１の深さｄ１よりも深い第２の深さｄ２のプリピットを形成したプリピット領域ＰＲとを備えたことを特徴とする情報記録媒体。
（２）  前記記録領域Ｒは相変化記録領域であり、前記プリピット領域ＰＲに記録されている前記著作権情報は再生可能であることを特徴とする請求項１記載の情報記録媒体。
（３）  請求項１又は２記載の情報記録媒体Ｄに前記第２の情報を記録する情報記録媒体記録方法であって、
前記プリピット領域ＰＲに記録されている前記著作権情報と前記第２の情報とからなる記録情報に基づいて、所定のエラー訂正単位でエラー訂正ブロック情報を順次生成し、
一連の前記エラー訂正ブロック情報を前記記録領域Ｒに順次記録することを特徴とする情報記録媒体記録方法。
（４）  請求項１又は２記載の情報記録媒体Ｄに記録された前記第２の情報を再生する情報記録媒体再生方法であって、
前記プリピット領域ＰＲから前記著作権情報を再生し、
前記記録領域Ｒから前記エラー訂正ブロック情報を再生し、
前記エラー訂正ブロック情報を所定のエラー訂正単位でエラー訂正することにより、前記第２の情報を再生することを特徴とする情報記録媒体再生方法。
（５）  図８に示すように、請求項１又は２記載の情報記録媒体Ｄに前記第２の情報を記録再生する情報記録媒体記録再生装置であって、
前記情報記録媒体Ｄから読み出したセクターアドレスに基づいて、前記記録領域Ｒのセクターアドレスと前記記録領域Ｒに記録する記録タイミングとを管理する管理手段（システムコントローラ）９と、
前記プリピット領域ＰＲのセクターアドレスと前記著作権情報とを記憶している記憶手段（メモリ）１４と、
前記著作権情報と前記第２の情報とからなる記録情報に基づいて、所定のエラー訂正単位でエラー訂正ブロック情報を順次生成する情報生成手段（信号処理部）５と、
一連の前記エラー訂正ブロック情報を前記記録領域に前記記録タイミングで記録する記録手段（光学ヘッド）３と、
前記プリピット領域ＰＲから再生した前記著作権情報に基づいて、前記記録領域Ｒに記録されている前記エラー訂正ブロック情報を順次読み出して、所定のエラー訂正単位でエ
ラー訂正することにより、前記第２の情報を再生する再生手段（ＡＶ符号化復号化部）６とを備えたことを特徴とする情報記録媒体記録再生装置。
（６）  図１，図７（Ｃ）に示すように、第１の情報（コピーが禁止されているＤＶＤビデオのコンテンツ）はコピー不可能であるが、第２の情報（コピーが禁止されていないＤＶＤビデオあるいは自己記録したビデオのコンテンツなど）は少なくとも１回コピー可能である情報記録媒体（光ディスク）Ｄであって、
前記第２の情報を、所定のエラー訂正ブロック単位で第１の記録手法を用いて記録する第１の記録領域Ｒと、
前記所定のエラー訂正ブロック単位のエラー訂正能力が情報量としてｎバイトとすると、前記第１の情報に対してはコピー禁止を示しかつ前記第２の情報に対しては少なくとも１回コピー可能を示す著作権情報を、前記所定のエラー訂正ブロック単位のｎバイト以上の情報量を有する情報として、第２の記録手法を用いて記録する第２の記録領域（プリピット領域）ＰＲとを備えたことを特徴とする情報記録媒体。
（７）  前記第１の記録手法は相変化記録であり、前記第２の記録手法はプリピット記録であることを特徴とする請求項６記載の情報記録媒体。
（８）  請求項６又は７記載の情報記録媒体Ｄに前記第２の情報を記録する情報記録媒体記録方法であって、
前記第２の記録領域（プリピット領域）ＰＲに記録されている前記著作権情報と前記第２の情報とからなる記録情報に基づいて、所定のエラー訂正単位で一連のエラー訂正ブロック情報を生成し、
一連の前記エラー訂正ブロック情報を前記第１の記録領域に順次記録することを特徴とする情報記録媒体記録方法。
（９）  請求項６又は７記載の情報記録媒体Ｄに記録された前記第２の情報を再生する情報記録媒体再生方法であって、
前記第２の記録領域から前記著作権情報を再生し、
前記第１の記録領域Ｒから前記エラー訂正ブロック情報を再生し、
前記エラー訂正ブロック情報を所定のエラー訂正単位でエラー訂正することにより、前記第２の情報を再生することを特徴とする情報記録媒体再生方法。
（１０）  図８に示すように、請求項６又は７記載の情報記録媒体Ｄに前記第２の情報を記録再生する情報記録媒体記録再生装置であって、
前記情報記録媒体Ｄから読み出したセクターアドレスに基づいて、前記第１の記録領域Ｒのセクターアドレスと前記第１の記録領域Ｒに記録する記録タイミングとを管理する管理手段（システムコントローラ）９と、
前記第２の記録領域（プリピット領域）ＰＲのセクターアドレスと前記著作権情報とを記憶している記憶手段（メモリ）１４と、
前記著作権情報と前記第２の情報とからなる記録情報に基づいて、所定のエラー訂正単位でエラー訂正ブロック情報を順次生成する情報生成手段（信号処理部）５と、
一連の前記エラー訂正ブロック情報を前記第１の記録領域Ｒに前記記録タイミングで記録する記録手段（光学ヘッド）３と、
前記第２の記録領域（プリピット領域）ＰＲから再生した前記著作権情報に基づいて、前記第１の記録領域Ｒに記録されている前記エラー訂正ブロック情報を順次読み出して、所定のエラー訂正単位でエラー訂正することにより、前記第２の情報を再生する再生手段（ＡＶ符号化復号化部）６とを備えたことを特徴とする情報記録媒体記録再生装置。
（１１）  図５〜図７に示すように、請求項１又は２記載の情報記録媒体Ｄの原盤を製造する情報記録媒体原盤製造方法であって、
ガラス基板１Ａ上に、第１の光感光性膜（第二レジスト層）１Ｂ、中間層１Ｃ、第２の光感光性膜（第一レジスト層）１Ｄを順次積層し、かつ前記中間層１Ｃの厚さと前記第２の光感光性膜１Ｄの厚さとを合わせた厚さが、前記情報記録媒体Ｄの前記記録領域Ｒの第１の深さｄ１と同一であり、しかも前記第１の光感光性膜１Ｂと前記中間層１Ｃの厚さと前記第２の光感光性膜１Ｄの厚さとを合わせた厚さが、前記情報記録媒体Ｄの前記プリピット領域ＰＲの第２の深さｄ２と同一であるように積層し、
第１の光強度で露光用レーザーを前記第２の光感光性膜１Ｄの上方から照射することにより、前記第２の光感光性膜１Ｄと前記中間層１Ｃとを露光して、前記ガラス基板１Ａ上に、第１の深さｄ１で前記記録領域Ｒを形成し、
前記第１の光強度よりも強い第２の光強度で前記露光用レーザーを前記第２の光感光性膜１Ｄの上方から照射することにより、前記第２の光感光性膜１Ｄと前記中間層１Ｃと前記第１の光感光性膜１Ｂを全て露光して、前記ガラス基板１Ａ上に、第２の深さｄ２で前記プリピット領域ＰＲを形成したことを特徴とする情報記録媒体原盤製造方法。
（１２）  図５〜図７に示すように、請求項６又は７記載の情報記録媒体Ｄの原盤を製造する情報記録媒体原盤製造方法であって、
ガラス基板１Ａ上に、第１の光感光性膜（第二レジスト層）１Ｂ、中間層１Ｃ、第２の光感光性膜（第一レジスト層）１Ｄを順次積層し、かつ前記中間層１Ｃの厚さと前記第２の光感光性膜１Ｄの厚さとを合わせた厚さが、前記情報記録媒体Ｄの前記第１の記録領域Ｒの深さと同一であり、しかも前記第１の光感光性膜１Ｂと前記中間層１Ｃの厚さと前記第２の光感光性膜１Ｄの厚さとを合わせた厚さが、前記情報記録媒体Ｄの前記第２の記録領域（プリピット領域）ＰＲの深さｄ２と同一であるように積層し、
第１の光強度で露光用レーザーを前記第２の光感光性膜１Ｄの上方から照射することにより、前記第２の光感光性膜１Ｄと前記中間層１Ｃとを露光して、前記ガラス基板１Ａ上に、前記第１の記録領域Ｒを形成し、
前記第１の光強度よりも強い第２の光強度で前記露光用レーザーを前記第２の光感光性膜１Ｄの上方から照射することにより、前記第２の光感光性膜１Ｄと前記中間層１Ｃと前記第１の光感光性膜１Ｂを全て露光して、前記ガラス基板１Ａ上に、前記第２の記録領域ＰＲを形成したことを特徴とする情報記録媒体原盤製造方法。
また、本発明は次の（Ａ）−（Ｑ）のものであっても良い。
（Ａ）  実質的に第一の溝深さのグルーブ領域に複数回記録可能な記録媒体であって、所定の単位で記録するためのアドレスを持ち、この媒体の一部のアドレス領域に記録する情報のコピー防止に関する記録領域を、実質的に第二の溝深さのグルーブ領域として形成し、この領域に読み出し可能な大きさの所定のプリピットを形成することを特徴とする記録再生媒体。
（Ｂ）  実質的に第一の溝深さのグルーブ領域に複数回記録可能な記録媒体に、所定の単位で記録するためのアドレスを持ち、この媒体の一部のアドレス領域のコピー防止に関する領域を、実質的に第二の溝深さのグルーブ領域として形成し、この領域に所定のプリピットを形成した記録再生媒体に記録する方法であって、所定の訂正の単位で訂正ブロックを生成し、コピー防止に関するデータ領域の記録は、前記プリピットに埋め込まれたデータを想定し、このデータをもとに前記訂正ブロックを生成し、記録時に、前記プリピット以外の訂正ブロック領域に、前記訂正ブロックのデータを記録することを特徴とする記録再生装置におけ記録方法。
（Ｃ）  実質的に第一の溝深さのグルーブ領域に複数回記録可能な記録媒体に、所定の単位で記録するためのアドレスを持ち、この媒体の一部のアドレス領域のコピー防止に関する領域を、実質的に第二の溝深さのグルーブ領域として形成し、この領域に所定のプリピットを形成した記録再生媒体、
（Ｄ）  媒体からアドレスを読み出すアドレス読み出し手段、
所定の訂正の単位で訂正ブロックを生成する記録情報生成手段、
記録情報を媒体に記録する記録手段、
読み出したアドレスにより記録位置及び記録タイミングを管理する記録管理手段、
前記プリピット領域のアドレス位置及びデータを記憶しているプリピット記憶手段、
前記プリピット記憶手段の記憶された値に基づいて、この領域の前記訂正ブロックを生成しするブロック生成手段、
記録時に前記ブロック生成手段で生成されたデータ中の、前記プリピット以外の訂正ブロック領域に、前記タイミング信号を基に、前記訂正ブロックのデータを記録することを記録手段を持つことを特徴とする記録再生装置。
（Ｅ）  所定の訂正ブロック単位で所定のアドレス信号が埋め込まれた記録領域に第一の形成方法で複数回記録可能な記録媒体であって、所定の訂正ブロック単位の訂正能力が情報量としてｎバイトとすると、所定の訂正ブロック単位のｎバイト以上の情報量を所定のアドレス領域に第二の形成方法で記録情報のコピー防止に関する記録情報として記録し、この第一と第二の形成方法にて所定の訂正ブロック単位とすることを特徴とする記録再生媒体。
（Ｆ）  所定の訂正ブロック単位で所定のアドレス信号が埋め込まれた記録領域に第一の形成方法で複数回記録可能な記録媒体に記録する方法であって、所定の訂正ブロック単位の訂正能力が情報量としてｎバイトとすると、所定の訂正ブロック単位のｎバイト以上の情報量を所定のアドレス領域に第二の形成方法で記録情報のコピー防止に関する記録情報として記録されている領域に対して、媒体以外に記憶しているコピー防止に関する記録情報を読み出す段階と、この情報とこの情報以外の情報をもとに前記訂正ブロックを生成し、記録時に、前記情報以外の訂正ブロック領域に、前記訂正ブロックのデータを記録することを特徴とする記録再生装置におけ記録方法。
（Ｇ）  所定の訂正ブロック単位で所定のアドレス信号が埋め込まれた記録領域に第一の形成方法で複数回記録可能な記録媒体、
所定の訂正ブロック単位の訂正能力が情報量としてｎバイトとすると、所定の訂正ブロック単位のｎバイト以上の情報量を所定のアドレス領域に第二の形成方法で記録情報のコピー防止に関する記録情報として記録した前記記録媒体、
媒体からアドレスを読み出すアドレス読み出し手段、
所定の訂正の単位で訂正ブロックを生成する記録情報生成手段、
記録情報を媒体に記録する記録手段、
読み出したアドレスにより記録位置及び記録タイミングを管理する記録管理手段、
前記コピー防止に関する記録領域のアドレス位置及びデータを記憶している記録領域記憶手段、
前記記録領域記憶手段の記憶された値と、その情報以外の情報に基づいて、この領域の前記訂正ブロックを生成しする訂正ブロック生成手段、
記録時に前記ブロック生成手段で生成されたデータ中の、前記記録領域以外の訂正ブロック領域に、前記タイミング信号を基に、前記訂正ブロックのデータを記録することを記録手段を持つことを特徴とする記録再生装置。
（Ｈ）  記録媒体は相変化記録でありプリピット領域の情報は再生可能であることを特徴とする上記（Ａ）の媒体。
（Ｉ）  記録媒体は相変化記録でありプリピット領域の情報は再生可能であることを特徴とする上記（Ｂ）の記録方法。
（Ｊ）  記録媒体は相変化記録でありプリピット領域の情報は再生可能であることを特徴とする上記（Ｃ）の記録装置。
（Ｋ）  第一の形成方法は相変化記録であり、第二の形成方法はプリピットであることを特徴とする上記（Ｄ）の媒体。
（Ｌ）  第一の形成方法は相変化記録であり、第二の形成方法はプリピットであることを特徴とする上記（Ｅ）の記録方法。
（Ｍ）  第一の形成方法は相変化記録であり、第二の形成方法はプリピットであることを特徴とする上記（Ｆ）の記録装置。
（Ｎ）  複数回記録可能な実質的に第一の溝深さのグルーブ領域を形成するための第一の光感光性膜と、読み出し可能な大きさのコピー防止に関するプリピットを形成するための実質的に第二の溝深さのグルーブ領域として形成する第二の光感光性膜と、この２つの膜間を分離するための中間層と、この２つの光感光性膜を２つの強度レベルからなる光により記録することを特徴とする記録再生媒体の原盤記録方法。
（Ｏ）  所定の訂正ブロック単位で記録再生を行うために所定のアドレス信号が埋め込まれた記録領域に相変化記録として形成するための第一の光感光性膜と、所定の訂正ブロック単位の訂正能力が情報量としてｎバイトとすると、所定の訂正ブロック単位のｎバイト以上の情報量を所定のアドレス領域にプリピットとして記録情報のコピー防止に関する記録情報を形成する第二の光感光性膜と、この２つの膜間を分離するための中間層と、この２つの光感光性膜を２つの強度レベルからなる光により記録することを特徴とする記録再生媒体の原盤記録方法。
（Ｐ）  実質的に第一の溝深さのグルーブ領域に複数回記録可能な記録媒体を再生する方法であって、この媒体の一部のアドレス領域のコピー防止に関する領域を、実質的に第二の溝深さのグルーブ領域として形成し、この領域に所定のプリピットを形成した記録領域を再生する第一の再生段階と、前記一の溝深さのグルーブ領域を再生する第二の再生段階と、第一と第二の再生段階での再生信号を、所定の訂正の単位として訂正することを特徴とする記録再生装置における再生方法。
（Ｑ）  実質的に第一の形成方法でグルーブ領域に複数回記録可能な記録媒体を再生する方法であって、所定の訂正ブロック単位の訂正能力が情報量としてｎバイトとすると、この媒体の一部のアドレス領域のコピー防止に関する領域を、実質的に第二の形成方法で所定の訂正ブロック単位のｎバイト以上の情報量の記録領域を再生する第一の再生段階と、前記一の形成方法のグルーブ領域を再生する第二の再生段階と、第一と第二の再生段階での再生信号を、所定の訂正の単位として訂正することを特徴とする記録再生装置における再生方法。
【発明の効果】
【０００８】
上記したように本発明によれば、誤り訂正ブロックを記録再生の単位として情報を記録再生する情報記録媒体において、前記情報を記録する誤り訂正のブロックを記録再生の単位として構成される第１の深さを有する記録領域と、前記情報を記録する前記記録領域に挟まれて、誤り訂正のブロックを記録再生の単位として再生可能なプリピットを形成した第２の深さを有するプリピット領域が、前記誤り訂正のブロックの単位とは異なる境界を前記記録領域との間に有して構成されたプリピット領域を備えたことにより、誤り訂正ブロックを記録再生の単位として情報を記録してもこれを再生不可能とするので、この情報の著作権保護を確実に図ることができる。
【図面の簡単な説明】
【０００９】
【図１】本発明の情報記録媒体の一実施例を説明するための拡大断面図である。
【図２】本発明の情報記録媒体に記録するデータをＥＣＣブロック化することを説明するための図である。
【図３】ＥＣＣブロック化したデータをセクター単位で本発明の情報記録媒体の所定の領域に記録することを説明するための図である。
【図４】本発明の情報記録媒体の一実施例であるＤＶＤ−ＲＷにおける１セクターの物理フォーマットを示す図である。
【図５】本発明に関連する情報記録媒体原盤製造方法に用いられるガラス原盤の積層状態を説明するための図である。
【図６】ガラス原盤上に積層されたレジスト層の光量対感度特性図である。
【図７】本発明に関連する情報記録媒体原盤製造方法の工程を説明するための図である。
【図８】本発明に関連する情報記録媒体記録再生装置を説明するためのブロック図である。
【図９】本発明の情報記録媒体の所定の領域に記録するデータとＥＣＣブロックとの関係を説明するための図である。
【発明を実施するための形態】
【００１０】
以下、本発明の情報記録媒体及び情報記録媒体再生方法について、図面を参照しして詳細に説明する。図１は本発明の情報記録媒体の一実施例を説明するための拡大断面図、図２は本発明の情報記録媒体に記録するデータをＥＣＣブロック化することを説明するための図、図３はＥＣＣブロック化したデータをセクター単位で本発明の情報記録媒体の所定の領域に記録することを説明するための図、図４は本発明の情報記録媒体の一実施例であるＤＶＤ−ＲＷにおける１セクターの物理フォーマットを示す図、図５は本発明に関連する情報記録媒体原盤製造方法に用いられるガラス原盤の積層状態を説明するための図、図６はガラス原盤上に積層されたレジスト層の光量対感度特性図、図７は本発明に関連する情報記録媒体原盤製造方法の工程を説明するための図、図８は本発明に関連する情報記録媒体記録再生装置を説明するためのブロック図、図９は本発明の情報記録媒体の所定の領域に記録するデータとＥＣＣブロックとの関係を説明するための図である。以下の説明においては、本発明の情報記録媒体の実施形態として、ＤＶＤ−ＲＷを用い、このＤＶＤ−ＲＷに対して情報を記録することを主に説明するが、他の記録可能なＣＤ−ＲＷ、ＤＶＤ＋ＲＷや次世代ＤＶＤ等の高密度型光ディスクについても本発明を適用できることは言うまでもない。
まず、本発明の実施の形態を説明する前に、コピーガードデータ（コピー禁止のＣＳＳキー＝ＣＳＳデータ）をディスク上に記録し、これを安定に読み出せるようにする点について説明する。この点は、次の1)〜4)を全て満たすことによって得られるものである。即ち、1)ＣＳＳデータを消去出来ないように記録する。2)ＣＳＳデータを訂正により改ざん出来ないように所定量以上のデータ量にする。3)ＣＳＳデータを読み出せるように構成する。4)記録時にＣＳＳデータを除いて記録するようにする。前記した1)〜4)を全て満たすことによって、ＤＶＤ−ＲＷプレーヤでは、コピーガード（コピーが禁止）されているＤＶＤビデオのコンテンツは違法コピー不可能とし、一方、コピーフリーな（コピーが禁止されていない）ＤＶＤビデオあるいは自己記録したビデオのコンテンツなどの場合は、少なくとも１回コピー可能とすることによって、コピーガードされているＤＶＤビデオのコンテンツの著作権保護を推進可能とするものである。
【００１１】
前記したことを換言して具体的に説明するならば、次の（１）〜（３）の問題を全て良好に解決したものが本発明であると言える。
（１）  ＤＶＤビデオは再生専用ディスクであり、ＣＳＳデータ及び記録済のコンテンツは全てピットから構成されており、そのピット深さは、６５０ｎｍのレーザーに対して、λ／４程度である。一方、ＤＶＤ−ＲＷは相変化記録再生用ディスクであり、記録済又は記録すべきコンテンツはグルーブ領域に記録されており、この記録再生特性を最良にするために、ランド領域に対して、グルーブ領域の深さはλ／１６程度となっている。このため、ＤＶＤビデオにおけるＣＳＳデータをＤＶＤ−ＲＷに記録する場合に、このＣＳＳデータをＤＶＤ−ＲＷの深さλ／１６程度のプリピットで構成せずに、λ／４からλ／８程度の深いプリピットで構成した。これによって、ＤＶＤビデオプレーヤでは、ＤＶＤ−ＲＷにおける、λ／４からλ／８程度の深いプリピットのＣＳＳデータを良好に再生できる。
【００１２】
（２）  また、ＤＶＤビデオプレーヤで、ＤＶＤ−ＲＷにおける、λ／４からλ／８程度の深いプリピットのＣＳＳデータを良好に再生できたとしても、このＣＳＳデータが、ＣＳＳデータ記録領域（プリピット領域）を含むＥＣＣブロックの訂正能力の範囲内の少ないデータ量であるとすると、再生時にエラー訂正されてしまう。そこで、本発明はプリピットで構成するＣＳＳデータのデータ量をエラー訂正能力の範囲を上回る所定以上のデータ量とし、このＣＳＳデータが読み出せない場合は、コンテンツを再生できないようにすることで、コンテンツの違法コピーの防止を行う。
【００１３】
（３）次に、記録時に、このプリピット領域に記録されているＣＳＳデータを記録再生装置側のＲＯＭ等のメモリに保持する、又は、外部からの入力信号として入手し、このプリピットされたＣＳＳデータとコンテンツのデータとでＥＣＣブロックのデータを構成し、このデータをプリピット領域以外の記録領域に記録する事により、再生時このＥＣＣブロックをＣＳＳデータを含むデータとして再生可能とする。
【００１４】
さて、本発明の実施形態を次の順序で説明する。
Ａ．「記録フォーマットの実施の形態」
Ｂ．「ディスクの実施の形態」
Ｃ．「情報記録再生装置の形態」
【００１５】
Ａ．「記録フォーマットの実施の形態」
まず、「記録フォーマットの実施の形態」について説明する。始めに、ＤＶＤ−ＲＷに記録情報を記録する際の一般的な物理フォーマット及び当該記録情報における誤り訂正処理について、図２〜図４を用いて説明する。
【００１６】
先ず、本実施の形態のＤＶＤ−ＲＷにおける誤り訂正処理及び当該誤り訂正処理における誤り訂正単位としてのＥＣＣブロックについて、図２を用いて説明する。
【００１７】
一般に、ＤＶＤ−ＲＷに記録される記録情報は、図２（Ａ）に示すデータセクター２０を複数個含む物理構造を成して構成されている。そして、一のデータセクター２０中には、その先頭から、データセクター２０の開始位置を示すＩＤ情報２１と、当該ＩＤ情報２１の誤りを訂正するためのＩＤ情報誤り訂正コード（ＩＥＤ）２２と、予備データ（例えばＣＰＭ）２３と、記録すべき主たるデータを格納するデータ領域２４と、データ領域２４におけるエラーを検出するためのエラー検出コード（ＥＤＣ）２５とにより構成され、このデータセクター２０が複数連続することにより記録すべき記録情報が構成されている。
【００１８】
次に、このデータセクター２０を用いてＥＣＣブロックを構成する際の処理を、図２（Ｂ）を用いて説明する。データセクター２０を用いてＥＣＣブロックを構成する際には、図２（Ｂ）に示すように、始めに、一のデータセクター２０を横に１７２バイト毎に分割し、分割した夫々のデータ（これを、以下、データブロック３３という。）を垂直方向に並べる。このとき、垂直方向には１２行のデータブロック３３が並ぶこととなる。
【００１９】
そして、垂直方向に並べた横の夫々のデータブロック３３に対して１０バイトのＥＣＣ内符号（ＰＩ（Pality In ）符号）３１を当該データブロック３３の最後に付加して一の訂正ブロック３４を構成する。この段階では、ＥＣＣ内符号３１が付加された訂正ブロック３４が垂直方向に１２行並んでいることとなる。その後、この処理を１６のデータセクター２０分だけ繰返す。これにより、１９２行の訂正ブロック３４が得られる。
【００２０】
次に、上記の１９２行の訂正ブロック３４が垂直方向に並べられた状態で、今度は、当該１９２行の訂正ブロック３４を１バイト毎に最初から垂直方向に分割し、分割した夫々のデータに対して１６個のＥＣＣ外符号（ＰＯ（Pality Out）符号）３２を付加する。なお、当該ＥＣＣ外符号３２は、上記訂正ブロック３４のうち、ＥＣＣ内符号３１の部分に対しても付加される。
【００２１】
以上の処理により、１６のデータセクター２０を含む一のＥＣＣブロック３０が図２（Ｂ）に示すように形成される。このとき、一のＥＣＣブロック３０内に含まれる情報の総量は、（１７２＋１０）バイト×（１９２＋１６）行＝３７８５６バイトであり、この内、実際のデータ領域２４内に記録されるデータは、
２０４８バイト×１６＝３２７６８バイト
となる。
【００２２】
また、図２（Ｂ）に示すＥＣＣブロック３０においては、１バイトのデータを「Ｄ＃．＊」で示している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は第１７２列乃至第１８１列に配置され、ＥＣＣ外符号３２は第１９２行乃至第２０７行に配置されることとなる。
【００２３】
更に、一の訂正ブロック３４はＤＶＤ−ＲＷ上には連続して記録される。ここで、図２（Ｂ）に示すように、ＥＣＣブロック３０をＥＣＣ内符号３１とＥＣＣ外符号３２の双方を含むように構成するのは、図２（Ｂ）における横（水平）方向に並んでいるデータの訂正をＥＣＣ内符号３１で行い、図２（Ｂ）における縦（垂直）方向に並んでいるデータの訂正をＥＣＣ外符号３２で行うためである。すなわち、図２（Ｂ）で示すＥＣＣブロック３０内においては、横（水平）方向と縦（垂直）方向の二重に誤り訂正することが可能となり、従来のＣＤ（Compact Disk）等に用いられている誤り訂正処理に比してより強力に誤り訂正ができるように構成されている。
【００２４】
この点についてより具体的には、例えば、一の訂正ブロック３４（上述のように、一行分のＥＣＣ内符号３１を含んで計１８２バイトのデータを含み、連続してＤＶＤ−ＲＷ上に記録される。）が５バイトまでであれば、キズ等により破壊されたとしても訂正可能であるが、６バイト以上で１列全てがＤＶＤ−ＲＷのキズ等により破壊されたすると、ＥＣＣ内符号３１では訂正できなくなる。しかし、１列全てがキズ等により破壊されたするととしても、それを垂直方向から見ると、１列のＥＣＣ外符号３２に対して１バイトのデータ破壊でしかない。従って、夫々の列のＥＣＣ外符号３２を用いて誤り訂正を行えば、たとえ一の訂正ブロック３４の全てが破壊されていても、正しく誤り訂正を行って正確に再生することができるのである。ただし、後天的な傷の発生等を考慮すれば、横列（水平）の傷は大きくなると、次の垂直方向の横列（水平）のエラーにもつながるので最小限に留めることはいうまでもない。ちなみに、この縦方向のエラーについては縦８列（イレージャー訂正で１６列）あっても訂正可能である。
【００２５】
次に、図２（Ｂ）で示すＥＣＣブロック３０に構成されたデータセクター２０が、具体的にＤＶＤ−ＲＷにどのように記録されるかについて、図３を用いて説明する。なお、図３において、「Ｄ＃．＊」で示されるデータは、図２（Ｂ）内に記述されているデータに対応している。
【００２６】
ＥＣＣブロック３０をＤＶＤ−ＲＷに記録する際には、始めに、図３（Ａ）に示すように、ＥＣＣブロック３０が訂正ブロック３４毎に水平方向に一列に並べられてインターリーブされることにより、１６のレコーディングセクター４０に分割される。このとき、一のレコーディングセクター４０は、２３６６バイト（３７８５６バイト÷１６）の情報を含むこととなり、この中には、データセクター２０とＥＣＣ内符号３１又はＥＣＣ外符号３２が混在している。但し、各レコーディングセクター４０の先頭には、データセクター２０におけるＩＤ情報２１（図２（Ａ）参照）が配置される。
【００２７】
そして、一のレコーディングセクター４０は、図３（Ｂ），（Ｃ）に示すように、９１バイト毎のデータ４１に分割され、夫々にシンクＨが付加される。その後、この状態のレコーディングセクター４０を８−１６変調することにより、夫々のデータ４１毎に一のシンクフレーム４２が形成される。このとき、一のシンクフレーム４２は、図３（Ｄ）に示すように、シンクＨ’とデータ４３とにより構成されている。また、一のシンクフレーム４２内の情報量は、
９１バイト×８×（１６／８）＝１４５６バイト
となり、このシンクフレーム４２が連続した形態でＤＶＤ−ＲＷディスクに情報が書き込まれる。このとき、一のレコーディングセクター４０は、２６のシンクフレーム４２を含むこととなる。
【００２８】
これをまとめて図４にて説明する。物理的な１６セクターからなるＥＣＣブロックの先頭のセクターは図４のように構成されている。つまり、横列はデータ１７２バイトにＰＩの１０バイトとシンクの４バイトで１８６バイトからなり、縦列１２行にＰＯの１行を加えた１３行からなる。シンクはＨ０からＨ２５までの２バイトの２６個である。
【００２９】
以上説明した物理フォーマットを構成してＤＶＤ−ＲＷディスクに情報を記録することにより、当該情報を再生する際に８−１６復調及びデインターリーブを行えば（図３参照）、もとのＥＣＣブロック３０を復元することができ、破壊されるデータブロック量を最小にすることが出来るので、上記のように強力な誤り訂正を行って情報を最も正確に再生することができるのである。コピーガード情報はこのようなＥＣＣブロックの一部のデータとして、記録されている。
【００３０】
Ｂ．「ディスクの実施の形態」
つぎに、「ディスクの実施の形態」について説明する。
【００３１】
本発明の情報記録媒体は、図１，図７（Ｃ）に示すように、第１の情報（コピーが禁止されているＤＶＤビデオのコンテンツ）はコピー不可能であるが、第２の情報（コピーが禁止されていないＤＶＤビデオあるいは自己記録したビデオのコンテンツなど）は少なくとも１回コピー可能である情報記録媒体（光ディスク）Ｄであって、前記第１及び第２の情報をそれぞれ記録する領域であって、かつ第１の深さｄ１を有する記録領域Ｒと、前記第１の情報に対してはコピー禁止を示しかつ前記第２の情報に対しては少なくとも１回コピー可能を示す著作権情報（例えば、コピー無制限に可、コピー１回可、コピー２回可などのＣＳＳキー）を記録する領域であって、かつ（ＣＳＳ領域ｐｒに）前記第１の深さｄ１よりも深い第２の深さｄ２のプリピットを形成したプリピット領域ＰＲとを備えたことを特徴とする情報記録媒体である。図１中、Ｌｅは記録再生用レーザー光の照射方向。また、本発明の情報記録媒体は、前記プリピット領域ＰＲに記録されている前記第２の情報のコピーに関する著作権情報は再生可能である。
【００３２】
さらに、本発明の情報記録媒体は、図１，図７（Ｃ）に示すように、第１の情報（コピーが禁止されているＤＶＤビデオのコンテンツ）はコピー不可能であるが、第２の情報（コピーが禁止されていないＤＶＤビデオあるいは自己記録したビデオのコンテンツなど）は少なくとも１回コピー可能である情報記録媒体（光ディスク）Ｄであって、前記第２の情報を、所定のエラー訂正ブロック単位で第１の記録手法を用いて記録する第１の記録領域Ｒと、前記所定のエラー訂正ブロック単位のエラー訂正能力が情報量としてｎバイトとすると、前記第１の情報に対してはコピー禁止を示しかつ前記第２の情報に対しては少なくとも１回コピー可能を示す著作権情報を、前記所定のエラー訂正ブロック単位のｎバイト以上の情報量を有する情報として、第２の記録手法を用いて記録する第２の記録領域（
プリピット領域）ＰＲとを備えたことを特徴とする情報記録媒体である。さらにまた、本
発明の情報記録媒体は、前記第１の記録手法は相変化記録であり、前記第２の記録手法は
プリピット記録である。
【００３３】
以下に、前記した構成の本発明の情報記録媒体の製造工程について説明する。本発明の情報記録媒体原盤製造方法は、図５〜図７に示すように、前記した情報記録媒体Ｄの原盤を製造する情報記録媒体原盤製造方法であって、ガラス基板１Ａ上に、第１の光感光性膜（第二レジスト層）１Ｂ、中間層１Ｃ、第２の光感光性膜（第一レジスト層）１Ｄを順次積層し、かつ前記中間層１Ｃの厚さと前記第２の光感光性膜１Ｄの厚さとを合わせた厚さが、前記情報記録媒体Ｄの前記記録領域Ｒの第１の深さｄ１と同一であり、しかも前記第１の光感光性膜１Ｂと前記中間層１Ｃの厚さと前記第２の光感光性膜１Ｄの厚さとを合わせた厚さが、前記情報記録媒体Ｄの前記プリピット領域ＰＲの第２の深さｄ２と同一であるように積層し、第１の光強度で露光用レーザーを前記第２の光感光性膜１Ｄの上方から
照射することにより、前記第２の光感光性膜１Ｄと前記中間層１Ｃとを露光して、前記ガラス基板１Ａ上に、第１の深さｄ１で前記記録領域Ｒを形成し、前記第１の光強度よりも強い第２の光強度で前記露光用レーザーを前記第２の光感光性膜１Ｄの上方から照射することにより、前記第２の光感光性膜１Ｄと前記中間層１Ｃと前記第１の光感光性膜１Ｂを全て露光して、前記ガラス基板１Ａ上に、第２の深さｄ２で前記プリピット領域ＰＲを形成したことを特徴とする情報記録媒体原盤製造方法である。
【００３４】
また、本発明に関連する情報記録媒体原盤製造方法は、図５〜図７に示すように、前記した情報記録媒体Ｄの原盤を製造する情報記録媒体原盤製造方法であって、ガラス基板１Ａ上に、第１の光感光性膜（第二レジスト層）１Ｂ、中間層１Ｃ、第２の光感光性膜（第一レジスト層）１Ｄを順次積層し、かつ前記中間層１Ｃの厚さと前記第２の光感光性膜１Ｄの厚さとを合わせた厚さが、前記情報記録媒体Ｄの前記第１の記録領域Ｒの深さと同一であり、しかも前記第１の光感光性膜１Ｂと前記中間層１Ｃの厚さと前記第２の光感光性膜１Ｄの厚さとを合わせた厚さが、前記情報記録媒体Ｄの前記第２の記録領域（プリピット領域）ＰＲの深さｄ２と同一であるように積層し、第１の光強度で露光用レーザーを前記第２の光感光性膜１Ｄの上方から照射することにより、前記第２の光感光性膜１Ｄと前記中間層１Ｃとを露光して、前記ガラス基板１Ａ上に、前記第１の記録領域Ｒを形成し、前記第１の光強度よりも強い第２の光強度で前記露光用レーザーを前記第２の光感光性膜１Ｄの上方から照射することにより、前記第２の光感光性膜１Ｄと前記中間層１Ｃと前記第１の光感光性膜１Ｂを全て露光して、前記ガラス基板１Ａ上に、前記第２の記録領域ＰＲを形成したことを特徴とする情報記録媒体原盤製造方法である。
【００３５】
具体的には、図５はディスクＤの原盤を製造する時点で、前記のように、信号を記録すべき深さλ／１６程度のグルーブ領域Ｇと、プリピット領域ＰＲのみのλ／４からλ／８程度の深いピットを構成するために、第一のレジスト層１Ｄと第二のレジスト層１Ｂは、例えばＴＨＭＲ−ＩＰ３１００（東京応化工業（株））を用いる。また、第一のレジスト層１Ｄと第二のレジスト層１Ｂとの間を分離する中間層１Ｃは、例えばポリビニルアルコールからなる光感光性のレジスト層をスピンコート等でガラス基板１Ａ上に製膜してなる。こうして、ガラス基板１Ａ上には、第二のレジスト層１、中間層１Ｃ、第一のレジスト層１Ｄが順次積層される。この第一のレジスト層１Ｄと第二のレジスト層１Ｂとは記録するための波長３５１ｎｍのクリプトンレーザーの光強度に対して、第一のレジスト層１Ｄは低い光量（弱い光量）で（図６に示す光感度特性１ＤＤ）、第二のレジスト層１Ｂは高い光量（強い光量）で（図６に示す光感度特性１ＢＢ）、それぞれ反応するように構成し、図７（Ａ）〜（Ｃ）のように、グルーブ領域Ｇと、プリピット領域ＰＲを形成するために、光強度を３段階（強・普通・弱）に切り換えながらカッティングする。
【００３６】
そして、記録後のガラス基板１Ａを現像する。この状態（図７（Ｃ））の記録面にニッ
ケル無電解メッキ等の導電膜を付け、ここに２５０ｎｍ程度の電解メッキを付け、スタンパー（図７（Ｄ））を作成する。この後の図は通常の工程として省略するが、スタンパーを金型に取り付け、ポリカーボネイト等の樹脂をインジェクション成形し、相変化の記録膜をスパッタリングし、最後に保護膜を付け、初期化を行いディスクとして完成する。
【００３７】
ここで、このＣＳＳデータを含むプリピット領域ＰＲの長さ（図９参照）は、前記ＥＣＣブロックの中で、前記訂正可能な範囲の１６行を越える値として設定する。１セクターは前記のように、１３行であるから少なくとも２セクター以上の例えば４セクターとする。この値にすることによって、再生時に、例えこのプリピット領域が読めないとしても、このＥＣＣブロック全体が訂正不能として読めないので、ディスクを再生する事が出来ないので違法なコピーが再生されることはない。
【００３８】
通常再生時は、このＣＳＳデータによって、違法なコピーの場合は、このキーコードが異なることにより再生されることはないし、再生可能な信号はこのキーコードのよって再生が許可される。
【００３９】
逆に、この領域が例えば、１セクター程度以下であり、訂正が可能な範囲の量であるとすると、この領域の上に、違法コピーのために、上書きした場合に、ＥＣＣブロックとしては、このＣＳＳデータに何が書いてあったとしても、違法なコピーすべき信号が訂正の結果読み出されて意味をなさないことになる。従って、プリピット量は、重要な意味を持っている。
【００４０】
また、このプリピットされたＣＳＳデータは従来のＤＶＤビデオの仕様に従って変調されたデータであり、ＬＰＰアドレスとは位相の同期があっている構成になっている。また、上記のようにピット深さをこの領域のみＤＶＤビデオ装置にて再生時のＲＦ再生信号及びトラッキングエラー信号等のサーボ信号が最適に、あるいはこの領域を記録する時点でのトラッキングエラー信号等のサーボ信号が最適になるようになされているので、安定に記録再生を行うことができる。
【００４１】
Ｃ．「情報記録再生装置の形態」
さらに、「情報記録装置の形態」について説明する。本発明に関連する情報記録媒体記録再生装置は、図８に示すように、前記した情報記録媒体Ｄに前記第２の情報を記録再生する情報記録媒体記録再生装置であって、前記情報記録媒体Ｄから読み出したセクターアドレスに基づいて、前記記録領域Ｒのセクターアドレスと前記記録領域Ｒに記録する記録タイミングとを管理する管理手段（システムコントローラ）９と、前記プリピット領域ＰＲのセクターアドレスと前記第１の情報に対してはコピー禁止を示しかつ前記第２の情報に対しては少なくとも１回コピー可能を示す著作権情報とを記憶している記憶手段（メモリ）１４と、前記著作権情報と前記第２の情報とからなる記録情報に基づいて、所定のエラー訂正単位でエラー訂正ブロック情報を順次生成する情報生成手段（信号処理部）５と、一連の前記エラー訂正ブロック情報を前記記録領域に前記記録タイミングで記録する記録手段（光学ヘッド）３と、前記プリピット領域ＰＲから再生した前記著作権情報に基づいて、前記記録領域Ｒに記録されている前記エラー訂正ブロック情報を順次読み出して、所定のエラー訂正単位でエラー訂正することにより、前記第２の情報を再生する再生手段（ＡＶ符号化復号化部）６とを備えたことを特徴とする情報記録媒体記録再生装置である。
【００４２】
また、本発明に関連する情報記録媒体記録再生装置は、図８に示すように、前記した情報記録媒体Ｄに前記第２の情報を記録再生する情報記録媒体記録再生装置であって、前記情報記録媒体Ｄから読み出したセクターアドレスに基づいて、前記第１の記録領域Ｒのセクターアドレスと前記第１の記録領域Ｒに記録する記録タイミングとを管理する管理手段（システムコントローラ）９と、前記第２の記録領域（プリピット領域）ＰＲのセクターアドレスと前記第１の情報に対してはコピー禁止を示しかつ前記第２の情報に対しては少なくとも１回コピー可能を示す著作権情報とを記憶している記憶手段（メモリ）１４と、前記著作権情報と前記第２の情報とからなる記録情報に基づいて、所定のエラー訂正単位でエラー訂正ブロック情報を順次生成する情報生成手段（信号処理部）５と、一連の前記エラー訂正ブロック情報を前記第１の記録領域Ｒに前記記録タイミングで記録する記録手段（光学ヘッド）３と、前記第２の記録領域（プリピット領域）ＰＲから再生した前記著作権情報に基づいて、前記第１の記録領域Ｒに記録されている前記エラー訂正ブロック情報を順次読み出して、所定のエラー訂正単位でエラー訂正することにより、前記第２の情報を再生する再生手段（ＡＶ符号化復号化部）６とを備えたことを特徴とする情報記録媒体記録再生装置である。
【００４３】
以下、具体的に上述した図２〜図４を用いて説明した「記録フォーマットの実施の形態」を有する物理フォーマットで、情報をＤＶＤ−ＲＷに記録するための本発明に関連する記録再生装置の形態について、図８を用いて説明する。なお、以下の形態では、ＤＶＤ−ＲＷにおいて、当該ＤＶＤ−ＲＷ上のアドレス情報等をランド上に記録したプリピットが、記録情報を記録すべき情報トラック上等に予め形成されており、記録情報の記録時には、当該プリピットを予め検出することによりＤＶＤ−ＲＷ上のアドレス情報を得、これにより記録情報を記録するＤＶＤ−ＲＷ上の記録位置を検出して記録するものとする。まず、本発明に関連する記録再生装置の構成について図８を用いて説明する。ここでは、圧縮伸長技術として例えばＭＰＥＧ２を採用し、光ディスク１（Ｄ）の一例として書き換え可能なＤＶＤ−ＲＷを挙げている。また、図８の構成では、いわゆるＤＶＤ装置等において通常設けられている多くの部分については省略している。
【００４４】
記録再生装置は、図８に示すように、スピンドルモータ２、光学ヘッド３、アンプ部４、信号処理部５、ＡＶ符号化復号化部６、ドライバ７、サーボ部８、システムコントローラ９、キー入力部１０、出力端子１１、入力端子１２、インターフェイス部１３、トラックバッファメモリ１４、メモリ１５。１（Ｄ）は光ディスク。図８において、光ディスク１（Ｄ）は、例えば相変化材料からなる記録型の光ディスクであり、本実施の形態では、
例えばいわゆるＤＶＤ−ＲＷディスクを使用する。なお、ＤＶＤ−ＲＷディスクは、ディスク内でセクター（トラック）が螺旋状に配され、線速度一定（ＣＬＶ）にて回転が制御され、また、連続する１６セクターで１ブロックを構成し、この１ブロックが前記のエラー訂正の処理単位（ＥＣＣブロック）となされている。この光ディスク１は、図示しないチャッキング機構によってスピンドルモータ２に取り付けられている。
【００４５】
当該スピンドルモータ２は、ドライバ７により回転駆動され、チャッキング機構によってチャッキングされている光ディスク１を回転させる。また、このスピンドルモータ２は、ＦＧジェネレータと、ホール素子などの回転位置信号の検出手段とを備えて成る。このＦＧジェネレータからのＦＧ信号及びホール素子からの回転位置信号は、回転サーボ信号としてドライバ７を介してサーボ部８に帰還される。
【００４６】
光学ヘッド３は、半導体レーザを光源とし、コリメータレンズ、対物レンズ等によって、光ディスク１の所定のトラック上にレーザー光Ｌｅによるレーザスポットを形成し、また、２軸アクチュエータにて対物レンズを駆動することにより、レーザスポットのフォーカシング及びトラッキングを行う。半導体レーザはレーザ駆動回路により駆動され、２軸アクチュエータはドライバ７により駆動される。
【００４７】
キー入力部１０は、ユーザにより操作される複数のキーを備えてなり、ユーザからのキー操作入力情報をシステムコントローラ９に送る。すなわちこのキー入力部１０からは、記録開始や再生開始、記録停止、再生停止等を指示する各種のキー操作入力情報がユーザにより入力可能となされている。
【００４８】
インターフェイス部（ＡＴＡＰＩ）１３は、例えばコンピュータ等との間でデータの送受を行うためのインターフェイスであり、例えばいわゆるＡＴＡＰＩ（ATA Packet Interface）のインターフェースである。
【００４９】
システムコントローラ９は、キー入力部１０からのキー操作入力情報として、記録開始や再生開始、記録停止、再生停止等の各種キー操作入力情報に応じて、この形態の光ディスク装置の各部のＬＳＩ（信号処理部５やサーボ部８、アンプ部４、ＡＶ符号化復号化部６等）を制御する。また、インターフェイス部１３を介してデータの送受を行う。なお、例えば記録したい画像の解像度や、カーレースなどのスピードの速いシーン等を取り分ける場合や、記録時間優先で設定するための制御データが、キー入力部１０や入力端子１２から入力された場合も、当該システムコントローラ９はその制御データを認識し、その認識結果に基づいて記録時間を変更したり、その設定を外部のユーザが選択出来るようにしている。
【００５０】
ここで、例えば光ディスク１から信号の再生を行う場合は、キー入力部１０から再生開始の指令がなされ、このときのシステムコントローラ９は、当該再生開始の指令に応じて、後述するアンプ部４、サーボ部８及びドライバ７を制御する。すなわち、光ディスク１から信号の再生を行う場合、システムコントローラ９は、先ず最初に、光ディスク１を回転させると共にレーザースポットを光ディスク１上に照射させ、当該光ディスク１上の信号トラックに予め形成されているアドレス信号を読み取り、そのアドレス情報から再生するべき目的セクター（トラック）を見つけ、その目的セクター（トラック）上にレーザスポットが配置するように光学ヘッド３を移動させる。この目的セクターへの移動が完了した後は、当該目的セクターからの信号再生を開始する。
【００５１】
光ディスク１の再生時のアンプ部４は、光学ヘッド３にて当該光ディスク１の目的セクターから再生されたＲＦ信号を増幅すると共に、このＲＦ信号から再生信号とトラッキング及びフォーカシングサーボ信号（トラッキングエラー及びフォーカスエラー信号）を生成する。また、当該アンプ部４は、少なくとも再生信号の周波数特性を最適化するイコライザと、再生信号からバイトクロックを抽出すると共に速度サーボ信号を生成するＰＬＬ（位相ロックループ）回路と、このＰＬＬ回路からのバイトクロックと再生信号の時間軸との比較からジッタ成分を取り出すジッタ生成器とを備えている。このアンプ部４にて生成されたジッタ値は、システムコントローラ９に送られ、トラッキング及びフォーカシングサーボ信号及び速度サーボ信号はサーボ部８に、再生信号は信号処理部５に送られる。
【００５２】
サーボ部８は、アンプ部４からの速度サーボ信号と、光学ヘッド３のフォーカシング及びトラッキングサーボ信号を受け取ると共に、スピンドルモータ２からの回転サーボ信号を受け取り、これら各サーボ信号に基づいて、それぞれ対応する部位のサーボ制御を行う。具体的にいうと、サーボ部８は、アンプ部４のＰＬＬ回路がディスク回転速度に応じて生成した速度サーボ信号と、スピンドルモータ２からの回転サーボ信号とに基づいて、当該スピンドルモータ２を所定の回転速度で回転させるように、すなわち光ディスクを所定の一定線速度にて回転させるような、回転速度サーボ制御信号を生成する。
【００５３】
なお、詳細については後述するが、この形態では、内部における圧縮／伸長時のデータ最大転送レートよりも速い記録速度（記録データ転送レート）／再生速度（再生データ転送レート）で光ディスク１の記録／再生を行うようにしており、したがって、サーボ部８は、光ディスク１を当該記録速度／再生速度に合うような一定線速度にて回転させるための回転速度サーボ制御信号を生成する。
【００５４】
また、サーボ部８は、フォーカシング及びトラッキングサーボ信号に基づいて、光学ヘッド３が光ディスク１上に正確にフォーカシング及びトラッキングするための光学ヘッドサーボ制御信号を生成する。これら回転速度サーボ制御信号と光学ヘッドサーボ制御信号は、ドライバ７に送られる。なお、これ以降、光ディスク１の記録速度（記録データ転送レート）を記録レートと呼び、光ディスク１の再生速度（再生データ転送レート）を再生レートと呼ぶことにする。
【００５５】
ドライバ７は、サーボ部８からの各サーボ制御信号に基づいて動作するものであり、サーボ部８からの回転速度サーボ制御信号に応じてスピンドルモータ２を回転駆動すると共に、光学ヘッドサーボ制御信号に応じて光学ヘッド３の２軸アクチュエータを駆動する。この形態においては、当該ドライバ７が回転速度サーボ制御信号に応じてスピンドルモータ２を駆動することにより、光ディスク１を所定の線速度にて回転させ、また、当該ドライバ７が光学ヘッドサーボ制御信号に応じて光学ヘッド３の２軸アクチュエータを駆動することにより、光ディスク上でのレーザスポットのフォーカシング及びトラッキングが行われる。
【００５６】
光ディスク１の再生時の信号処理部５は、アンプ部４より供給された再生信号をＡ／Ｄ（アナログ／ディジタル）変換し、このＡ／Ｄ変換により得られたディジタル信号から同期検出を行うと共に、当該ディジタル信号に施されているいわゆるＥＦＭ＋信号（８−１６変調信号）からＮＲＺ（Non Return to Zero）データへのデコードを行い、さらにエラー訂正処理を行って、光ディスク１上のセクターのアドレスデータと再生データとを得る。信号処理部５にて得られたアドレスデータと同期信号はシステムコントローラ９に送られる。なお、当該信号処理部５にて行われるエラー訂正処理等についての詳細は後述する。
【００５７】
ここで、当該再生データが例えばＭＰＥＧの可変転送レートで圧縮符号化されたデータである場合、この形態の光ディスク装置では、当該データを例えば６４ＭバイトのＤ−ＲＡＭ（トラックバッファメモリ１４）に一時的に記憶させ、このトラックバッファメモリ１４の書き込み／読み出しを制御することで、その再生データの可変転送レートの時間変動分を吸収するようにしている。なお、この形態にて使用するトラックバッファメモリとは、圧縮したデータを一時記憶するバッファメモリのことを示しており、例えばＤＶＤにおいて一般的に備えられている可変転送レートを吸収するためのバッファメモリや、ＭＰＥＧのエンコードやデコード時に用いるバッファメモリを含む。このトラックバッファメモリ１４の記憶容量及び記憶領域の管理、書き込み／読み出し制御は、信号処理部５を介して例えばシステムコントローラ９が行う。
【００５８】
光ディスク１の再生時のＡＶ符号化復号化部６は、トラックバッファメモリ１４から供給された再生データが、例えばＭＰＥＧ２にて圧縮符号化され且つオーディオデータとビデオデータが多重化されたデータであるとき、この多重化された圧縮オーディオデータと圧縮ビデオデータを分離すると共に、それぞれをＭＰＥＧ２にて伸長復号化し、さらにＤ／Ａ（ディジタル／アナログ）変換して、オーディオ信号及びビデオ信号として出力端子１１から出力する。この出力端子１１から出力されたビデオ信号は、図示しないＮＴＳＣ（National Television System Committee）エンコーダ等にて処理されてモニタ装置に表示され、オーディオ信号は、図示しないスピーカ等に送られて放音される。なお、この再生時におけるＡＶ符号化復号化部６での伸長復号化の速度（伸長復号化時のデータ転送レート、以下、伸長レートと呼ぶことにする）は、記録時に設定された後述する記録モードに応じた伸長レートとなされる。言い換えると、ＡＶ符号化復号化部６は、複数の伸長レートに応じた伸長復号化処理が可能となされており、記録時に設定された記録モードに応じて当該伸長レートを決定し、そのレートで伸長復号化を行う。この記録モードの情報は、コントロールデータとして記録データと共に光ディスク１に記録されており、当該コントロールデータが光ディスク１の再生時に読み出されてシステムコントローラ９に送られ、システムコントローラ９がこのコントロールデータに基づいてＡＶ符号化復号化部６の伸長レートを設定する。なお、Ｄ／Ａ変換は、当該ＡＶ符号化復号化部６の外部にて行うことも可能である。
【００５９】
一方で、例えば光ディスク１への信号記録を行う場合には、キー入力部１０から記録開始の指令がなされ、システムコントローラ９は当該記録開始指令に応じて、アンプ部４、サーボ部８及びドライバ７を制御する。すなわち、光ディスク１の信号記録を行う場合には、先ず最初に、光ディスク１を回転させると共にレーザースポットを光ディスク１上に照射させ、当該光ディスク１上の信号トラックに予めプリピットとして形成されているアドレス信号を読み取り、そのアドレス情報から記録するべき目的セクター（トラック）を見つけ、その目的セクター（トラック）上にレーザスポットが配置するように光学ヘッド３を移動させる。なお、当該光ディスク１上に予め記録されているアドレス信号の詳細については後述する。
【００６０】
また、出力端子１１からは、記録すべきオーディオ及びビデオ信号が入力され、これら信号がＡＶ符号化復号化部６に送られる。当該光ディスクの記録時において、ＡＶ符号化復号化部６は、オーディオ信号及びビデオ信号をＡ／Ｄ変換し、それぞれオーディオデータ及びビデオデータを、後述する記録モードに応じた速度にてＭＰＥＧ２の圧縮符号化を行い、さらにそれらを多重化して信号処理部５に送る。以下、このＡＶ符号化復号化部６における圧縮符号化の速度（圧縮符号化時のデータ転送レート）を圧縮レートと呼ぶことにする。すなわち、ＡＶ符号化復号化部６は、記録モードに応じた複数の圧縮レートで圧縮符号化を行い得るものである。
【００６１】
なお、メモリである６４ＭビットのＤ−ＲＡＭ１５は、ＡＶ符号化復号化部６における圧縮伸長の際にデータを一時的に記憶するためのメモリである。また、Ａ／Ｄ変換は、当該ＡＶ符号化復号化部６の外部にて行うことも可能である。
【００６２】
また、この形態の装置は、映像や音声情報の他に静止画情報やコンピュータ上のプログラムファイル等のデータを記録再生することも可能である。この場合、インターフェイス部１３から静止画情報やプログラムファイル等のデータが供給され、これらデータがシステムコントローラ９を介して信号処理部５に送られる。
【００６３】
当該光ディスクの記録時の信号処理部５では、ＡＶ符号化復号化部６からの圧縮データやシステムコントローラ９を介したプログラムファイル等のデータに対して、エラー訂正符号を付加し、ＮＲＺとＥＦＭ＋のエンコードを行い、さらにシステムコントローラ９から供給される同期信号を付加して記録データを生成する。
【００６４】
ここで、当該記録データは、トラックバッファメモリ７に一時的に記憶された後、光ディスク１への記録レートに応じた読出レートで当該トラックバッファメモリ７から読み出されるようになっている。なお、この記録時におけるトラックバッファメモリ７の記憶容量及び記憶領域の管理、書き込み／読み出し制御の詳細については後述する。このトラックバッファメモリ７から読み出された記録データは、信号処理部５にて所定の変調処理が行われ、記録信号としてアンプ部３に送られ、光学ヘッド３にて光ディスク１上の目的セクター（トラック）に記録される。
【００６５】
また、このときのシステムコントローラ９は、アンプ部４からのジッタ値をＡ／Ｄ（ア
ナログ／ディジタル）変換して測定し、この測定ジッタ値やアシンメトリ値に従って、記録時のアンプ部４における波形補正量を変更する。すなわち、光ディスク１に信号を記録する場合、アンプ部４では、信号処理部５からの信号を波形補正し、この波形補正した信号を光学ヘッド４のレーザ駆動回路へ送る。
【００６６】
次に、本発明実施の形態に係る光ディスク１上のデータ領域のアドレスについて以下に説明する。
【００６７】
本実施の形態の光ディスク１は、ＤＶＤビデオやＤＶＤオーディオ、ＤＶＤ−ＲＯＭ等と互換性を有し、ＤＶＤの規格に準拠したＤＶＤ−ＲＷのディスクである。このＤＶＤ−ＲＷに限らず、追記型や書き換え可能な光ディスクには、通常、記録時におけるアドレス制御を可能とするために、セクターのアドレスが予めディスク上に記録或いは形成されている。但し、従来より存在している光ディスクでは、アドレスデータに基づいて変調された周波数に応じてグルーブをウォブリングさせることによるアドレス記録がなされているが、本実施の形態のＤＶＤ−ＲＷの場合は、より高速且つ高密度の記録を可能にするために、当該グルーブのウォブリング周波数信号と共に、光ディスク上のランド部に所定のピットを形成する、いわゆるＬＰＰ（ランドプリピット）アドレス方式をも採用している。
【００６８】
ここで、光ディスク１に対して実際にデータ記録を行う場合、その光ディスク１上に予め記録されていて記録のタイミング信号でもあるＬＰＰアドレスによるセクターアドレス（以下、単にＬＰＰアドレスとする）と、実際に記録がなされる記録データに含まれるセクターアドレス（以下、データアドレスとする）とを一致させるのが一般的である。なお、このようにＬＰＰアドレスとデータアドレスが一致するデータ記録の一例としては、例えば通常のＤＶＤから再生したデータをそっくりＤＶＤ−ＲＷに記録するような場合を挙げることができる。この場合、当該ＤＶＤ−ＲＷのディスク上には連続してデータの記録がなされることになり、したがってＬＰＰアドレスとデータアドレスとの関係を一致した状態にすることができる。
【００６９】
次に、本発明実施の形態にて扱うコピーガード領域の記録の動作について以下に説明する。本実施の形態においては、データ領域の連続する１６データセクター（３２kByte）で１誤り訂正ブロック（ＥＣＣブロック）を構成しており、このＥＣＣブロックが記録や再生時の最小の基本単位となっている。また、各データセクターはＬＰＰで構成されたアドレスと記録のためのシンクタイミング信号と同期して記録された２６個のシンクを有するシンクフレームからなっている。さらに、ＤＶＤ−ＲＷにおいては、セクターのアドレスが所定の間隔で形成されている。
【００７０】
図９（Ａ）〜（Ｃ）に示すように、コピーガード領域のプリピット領域ＰＲは、ＥＣＣブロックの４セクター分の領域に予め配置されている。このプリピット領域ＰＲを記録する際には、システムコントローラ９はシスコンＲＯＭの内部に記憶している４セクター分のプリピットデータと、それ以外の１２セクター分のこのＥＣＣブロックに記録すべきデータとを、前記したトラックバッファメモリ１４を用い、ＥＣＣブロックの訂正付加データ（ＰＩ，ＰＯ）を生成しておき、生成したデータの内最初の部分からプリピット開始位置までのデータを、ＬＰＰのシンク信号（図９（Ｂ）に図示のタイミング信号（シンク））のタイミングを基準としてデータを記録し、プリピット領域ＰＲの開始タイミングでは一旦記録を中止し、再生状態にし、次にプリピット領域ＰＲが終了する時点のＬＰＰのシンク信号タイミングで、再度ＥＣＣブロックのプリピットの終了位置での記録信号から記録を行う。そして、所定のＥＣＣブロックの記録を終了する。
【００７１】
この方法により、１つのＥＣＣブロックの中に、２つのリンキング（つなぎ目）を持つことになる。再生時にこのつなぎ目での振幅変動、記録信号の位相ずれ等により、例えば２シンクフレーム＊２カ所程度のデータ領域が破壊されることがあるが、前記のように、訂正能力の範囲なので、再生時にエラーが発生することは無く、前記プリピットで構成されたコピーガードデータは安定に、再生する事が出来る。
【００７２】
再生装置では、このプリピットで記録されたキーデータにより、違法にコピーされたデータについては、キーデータが異なるために、再生が出来ないし、一方、ビデオカメラ等で撮影した個人のデータに関しては、このキー情報にてＤＶＤビデオ等で再生が可能となる。なお、ディスク構造、製造方法、記録再生の手順の内容ついては一例に過ぎずこの範囲に限定されるものではない。また、上述した本発明の実施例において、ＤＶＤビデオを用いて説明したが、ＤＶＤオーディオでも同様であり、またＤＶＤ以外の高密度記録可能な媒体についても本発明を適用できることは言うまでもない。
【符号の説明】
【００７３】
１，Ｄ  ディスク，光ディスク（情報記録媒体）
１Ａ  ガラス基板
１Ｂ  第二レジスト層
１Ｃ  中間層
１Ｄ  第一レジスト層
３   光学ヘッド
５   信号処理部
６  ＡＶ符号化復号化部
９  システムコントローラ
１４  トラックバッファメモリ
ｄ１，ｄ２  深さ（第１，第２の深さ）
Ｇ  グルーブ領域
ｐｒ  記録位置
ＰＲ  プリピット領域
Ｒ  記録領域
【図１】
2010003410.tif 000003
【図２】
2010003410.tif 000004
【図３】
2010003410.tif 000005
【図４】
2010003410.tif 000006
【図５】
2010003410.tif 000007
【図６】
2010003410.tif 000008
【図７】
2010003410.tif 000009
【図８】
2010003410.tif 000010
【図９】
2010003410.tif 000011